(57)【要約】【課題】  被治療者の電撃を防止して、被治療者の安全を確保するとともに、交流電源による刺激感・治療感を容易に得る。【解決手段】  被治療者を電界内に置くことにより治療を行う電位治療装置１であって、被治療者に対して離間して配置される主電極２と、被治療者が接した状態で配置される第１接触電極３および第２接触電極４と、これらの電極に対して商用電源電圧を昇圧して所定の交流電圧を供給する電圧発生ユニット５とを有し、主電極２には、電圧発生ユニット５により治療用の交流高電圧が印加され、第１接触電極３および第２接触電極４には、電圧発生ユニット５により交流低電圧がそれぞれ印加されて、これら接触電極間による電位差により被治療者に微弱電流ｉが流れるようにした、ことを特徴とする。【選択図】  図１
2014004235.tif 000002
【特許請求の範囲】
【請求項１】
被治療者を電界内に置くことにより治療を行う電位治療装置であって、
被治療者に対して離間して配置される主電極と、被治療者が接した状態で配置される第１接触電極および第２接触電極と、これらの電極に対して商用電源電圧を昇圧して所定の交流電圧を供給する電圧発生装置とを有し、
前記主電極には、前記電圧発生装置により治療用の交流電圧が印加され、
前記第１接触電極および前記第２接触電極には、前記電圧発生装置により交流電圧がそれぞれ印加されて、前記２つの接触電極間による電位差により被治療者に微弱電流が流れるようにした、
ことを特徴とする電位治療装置。
【請求項２】
前記第１接触電極と前記第２接触電極とに印加される交流電圧はその位相を逆位相にした、
ことを特徴とする請求項１に記載の電位治療装置。
【請求項３】
前記第１接触電極と前記第２接触電極とに印加される交流電圧はその位相を同相にするとともに、前記主電極に印加される交流電圧と前記２つの接触電極に印加される交流電圧はその位相を逆位相とし、前記第１接触電極に印加する交流電圧は、正のピーク値が負のピーク値より大となるように設定し、前記第２接触電極に印加する交流電圧は、負のピーク値が正のピーク値より大となるように設定した、
ことを特徴とする請求項１に記載の電位治療装置。
【発明の詳細な説明】
【技術分野】
【０００１】
この発明は、電界を利用して治療を行う電位治療装置に関し、とくに人体の安全を確保しつつ、人体に治療感を与えることが可能な電位治療装置に関する。
【背景技術】
【０００２】
電位治療装置は、大地から絶縁された人体に高電位を与え、人体周囲に形成された電界による生体刺激作用を利用して、治療を行うものである。つまり、電位治療装置は、人体と対向電極に交流電圧を印加することで生じた電位差によって、人体の周囲に電界が形成されるようになっている。このような電界の形成方法としては、人体を高電位にして対向電極を接地する、人体を接地して対向電極を高電位にする、人体を高電位にして対向電極は逆位相の高電位にする、という形成方法がある。
【０００３】
人体を高電位にするものとして、被治療者が椅子に座った際に足を載せられるフットレスト（足載せ台）に足部電極を備え、足部電極を高電位にして、被治療者の人体と、その周囲の壁や対向電極との間に電界を形成するものがある（例えば、特許文献１参照。）。また、被治療者の電撃防止のために、人体を接地するものとして、例えば、足部電極を接地し（アース電極とし）、これに対向する頭部電極または座部電極を高電位にして人体と各電極との間に電界を形成するものがある（例えば、特許文献２参照。）
【先行技術文献】
【特許文献】
【０００４】
【特許文献１】特開平５−１２３４０５号公報
【特許文献２】特開２００２−１７７４０２号公報
【発明の概要】
【発明が解決しようとする課題】
【０００５】
しかしながら、特許文献１に記載の技術では、被治療者が高電位になるため、他の人や壁など周囲の物体に触れた場合に電撃を受けてしまい、この電撃を不快に感じてしまうことがあった。また、特許文献２に記載の技術では、被治療者はアース電位に保たれ上述のような電撃は防止されるが、周囲の物体との電位差がなくなることで交流高電圧による刺激感・治療感がなくなってしまうという問題があった。
【０００６】
そこでこの発明は、被治療者の電撃を防止して、被治療者の不快感を解消するとともに、交流高電圧による刺激感・治療感を容易に得ることが可能な電位治療装置を提供することを目的とする。
【課題を解決するための手段】
【０００７】
上記目的を達成するために請求項１に記載の発明は、被治療者を電界内に置くことにより治療を行う電位治療装置であって、被治療者に対して離間して配置される主電極と、被治療者が接した状態で配置される第１接触電極および第２接触電極と、これらの電極に対して商用電源電圧を昇圧して所定の交流電圧を供給する電圧発生装置とを有し、前記主電極には前記電圧発生装置により交流電圧が印加され、前記第１接触電極および前記第２接触電極には前記電圧発生装置により交流電圧がそれぞれ印加されて、前記２つの接触電極間による電位差により被治療者に微弱電流が流れるようにした、ことを特徴とする電位治療装置である。
【０００８】
この発明によれば、第１接触電極と第２接触電極とによって、被治療者の人体に微弱電流が流れる。
【０００９】
請求項２に記載の発明は、請求項１に記載の電位治療装置において、前記第１接触電極と前記第２接触電極とに印加される交流電圧はその位相を逆位相にした、ことを特徴とする。
【００１０】
請求項３に記載の発明は、請求項１に記載の電位治療装置において、前記第１接触電極と前記第２接触電極とに印加される交流電圧はその位相を同相にするとともに、前記主電極に印加される交流電圧と前記２つの接触電極に印加される交流電圧はその位相を逆位相とし、前記第１接触電極に印加する交流電圧は、正のピーク値が負のピーク値より大となるように設定し、前記第２接触電極に印加する交流電圧は、負のピーク値が正のピーク値より大となるように設定した、ことを特徴とする。
【発明の効果】
【００１１】
請求項１に記載の発明によれば、第１接触電極と第２接触電極には交流電圧が印加され、被治療者の人体を高電位にしないので、被治療者が壁や他の接地状態のものに触れても電撃を感じることはほとんど無い。また、人体には２つの接触電極に印加される交流電圧の電位差により微弱電流が流れるため、被治療者がこれを感受することにより治療状態であることを容易に認識することができる。
【００１２】
請求項２に記載の発明によれば、被治療者の人体を高電位にせず、かつ、２つの接触電極に印加される交流電圧の位相が逆位相であるので、人体電位は「ゼロ」となる。つまり、被治療者が壁や他の接地状態のものに触れても電撃を感じることは全く無い。
【００１３】
請求項３に記載の発明によれば、第１接触電極と第２接触電極とに印加される交流電圧はその位相を同相にするとともに、主電極に印加される交流電圧と２つの接触電極に印加される交流電圧はその位相を逆位相としたので、さらに高電位の治療を被治療者に施すことができる。また、第１接触電極に印加する交流電圧は正のピーク値が負のピーク値より大となるように設定し、第２接触電極に印加する交流電圧は負のピーク値が正のピーク値より大となるように設定したので、人体を低電位に保ちつつ微弱電流が流れるため、被治療者がこれを感受することにより治療状態であることを容易に認識することができる。
【図面の簡単な説明】
【００１４】
【図１】この発明の実施の形態１に係る電位治療装置の概略回路図である。
【図２】図１の電位治療装置の電位を表す概略図である。
【図３】この発明の実施の形態２に係る電位治療装置の概略回路図である。
【図４】図３の電位治療装置の電位を表す概略図である。
【図５】図３の電位治療装置の電位を表す波形図であり、（ａ）は第１低電位の波形を示し、（ｂ）は第２低電位の波形を示し、（ｃ）は人体の電位の波形を示している。
【発明を実施するための形態】
【００１５】
以下、この発明を図示の実施の形態に基づいて説明する。
（実施の形態１）
図１および図２は、この発明の実施の形態１を示している。電位治療装置１は、主電極２に交流高電圧を印加するとともに、第１接触電極３と第２接触電極４とに逆位相の交流低電圧を印加し、被治療者を電界内に置くことにより治療を行うものであり、図１に示すように、主として、電位治療器１００と、電位治療器１００に配設された主電極２と、第１接触電極３と、第２接触電極４と、主電極２と第１接触電極３と第２接触電極４とに電圧を供給する電圧発生装置としての電圧発生ユニット５とを有している。
【００１６】
この実施の形態１においては、主電極２に印加する交流高電圧を例えば９０００Ｖとなるように、また、第１接触電極３と第２接触電極４とに印加する交流低電圧を例えば１００Ｖとなるように設定されており、後述するように主電極２は高電位Ｖ１（９０００Ｖ）に誘起されて治療用に、第１接触電極３と第２接触電極４とは低電位Ｖ２（１００Ｖ）、Ｖ３（１００Ｖ）にそれぞれ誘起されて体感用に利用される。
【００１７】
電位治療器１００は、表層材が絶縁物で形成され、被治療者が座る椅子１０１と、ヘッドカバー１０２と、フットレスト（通電台）１０３とを有している。椅子１０１は、主として、座部と、背もたれと、被治療者の下半身側面部を覆う左右のサイドウォールとで構成されており、サイドウォールの上面部には、電源のＯＮ、ＯＦＦなどの操作を行うリモートコントローラが配設されている。
【００１８】
ヘッドカバー１０２は、椅子１０１の上方に配設され、被治療者が椅子１０１に座った状態で被治療者の頭部の上方に離間して位置するようになっており、後述する主電極２が内蔵されている。
【００１９】
フットレスト１０３は、椅子１０１の前方の床面上に配設され、被治療者が椅子１０１に座った状態でフットレストとして両足を載置可能な大きさ、形状に形成され、後述する第１接触電極３および第２接触電極４が内蔵されている。
【００２０】
このような電位治療器１００に被治療者が座った状態では、身体の上方がヘッドカバー１０２に、身体の左方右方がサイドウォールに、身体の下方がフットレスト１０３により覆われる。
【００２１】
主電極２は、絶縁物によって覆われたヘッドカバー１０２に内蔵され（図１）、電圧発生ユニット５と接続されて治療のための交流高電圧Ｖ１が印加される（図２）。
【００２２】
第１接触電極３は、フットレスト１０３の一方側に配設され、絶縁物によって覆われた状態となっており、被治療者の右足と絶縁物を介して接触するものである。第１接触電極３は、被治療者に流入電流（微弱電流）ｉを流すために電圧発生ユニット５と接続され、交流の第１低電圧Ｖ２が印加される。
【００２３】
第２接触電極４は、第１接触電極３と同様に構成され、フットレスト１０３の他方側に配設され、被治療者の左足と絶縁物を介して接触するものである。第２接触電極４は、被治療者に微弱電流ｉを流すために電圧発生ユニット５と接続され、交流の第２低電圧Ｖ３が印加される。
【００２４】
電圧発生ユニット５は、主電極２、接触電極３、４に対して商用電源電圧を昇圧して所定の交流電圧を供給するものである。この電圧発生ユニット５は、図１に示すように、主として、商用電源と接続するためのコンセント５１と、スイッチ５１ＳＷ１、５１ＳＷ２とを備え、主電極用変圧器５２と、第１接触電極用変圧器５３と、第２接触電極用変圧器５４とを有している。
【００２５】
スイッチ５１ＳＷ１、５１ＳＷ２は、商用電源から電位治療装置１への電力の供給の供給開始（ＯＮ）、供給停止（ＯＦＦ）を切り替えるためのものである。このスイッチ５１ＳＷ１、５１ＳＷ２は、電位治療器１００のリモートコントローラに配設された電源ボタンによって、ＯＮ、ＯＦＦが切り替えられるようになっている。
【００２６】
主電極用変圧器５２は、主電極２を高電位Ｖ１に誘起するためのものであり、その一次巻線５２ａは、一端をスイッチ５１ＳＷ２を介して、他端をスイッチ５１ＳＷ１を介してコンセント５１と接続する。主電極用変圧器５２の二次巻線５２ｂは、一端をアースＧと接続し、他端を主電極用電流制限素子５２Ｒを介して主電極２と接続する。この電流制限素子５２Ｒは、主電極２による感電を防止するために出力インピーダンスを高める機能を有している。このような主電極用変圧器５２には、電圧発生ユニット５が作動すると、高い電位（高電位）Ｖ１が誘起する。
【００２７】
第１接触電極用変圧器５３は、第１接触電極３を第１低電位Ｖ２に誘起するためのものであり、その一次巻線５３ａは、一端をスイッチ５１ＳＷ２を介して、他端をスイッチ５１ＳＷ１を介してコンセント５１と接続する。第１接触電極用変圧器５３の二次巻線５３ｂは、一端をアースＧと接続し、他端を第１接触電極用電流制限素子５３Ｒを介して第１接触電極３と接続する。この電流制限素子５３Ｒは、第１接触電極３の安全性を高めるために接続されている。この実施の形態においては、電流制限素子５３Ｒは、被治療者の人体に流れる微弱電流ｉが、例えば約０．５〜１ｍＡとなるように設定されている。このような第１接触電極用変圧器５３には、電圧発生ユニット５が作動すると、低い電位（第１低電位）Ｖ２が誘起する。
【００２８】
第２接触電極用変圧器５４は、第２接触電極４を第２低電位Ｖ３に誘起するためのものであり、上記第１接触電極用変圧器５３と同様に構成されているが、第２接触電極用変圧器５４の一次巻線５４ａの一端をスイッチ５１ＳＷ１を介して、他端をスイッチ５１ＳＷ２を介してコンセント５１と接続する。すなわち、第１接触電極用変圧器５３の商用電源との接続方法と、第２接触電極用変圧器５４の商用電源との接続方法とが逆になっている。具体的には、第２接触電極用変圧器５４の一次巻線５４ｂは一端をアースＧと接続し、他端は第２接触電極用電流制限素子５４Ｒを介して第２接触電極用変圧器５４に接続する。この電流制限素子５４Ｒは、電流制限素子５３Ｒと同様に、第２接触電極４の安全性を高めるために接続されている。このような第２接触電極用変圧器５４には、電圧発生ユニット５が作動すると、第１低電位Ｖ２と逆位相の第２低電位Ｖ３が誘起する。
【００２９】
このような構成の電圧発生ユニット５は、図２に示すように、主電極２には電位治療用の高電位Ｖ１を誘起し、第１接触電極３と第２接触電極４には、同電圧で逆位相の低電位Ｖ２、Ｖ３をそれぞれ誘起するようになっており、主電極２と、第１接触電極３及び第２接触電極４との間の電位差によって、治療用の電界が形成される。そして、電位治療器１００に被治療者が座った状態では、頭部の上方に位置する主電極２と、両足とフットレスト１０３を介して接触している接触電極３、４との間に形成された電界内に人体が置かれることになる。
【００３０】
次に、このような構成の電位治療装置１の使用方法および作用について説明する。
【００３１】
まず、図１に示すように、被治療者が椅子１０１に座ると、被治療者の両足がフットレスト１０３に接触し、頭部はヘッドカバー１０２から離間した状態となる。
【００３２】
被治療者がサイドウォールの上面部のリモートコントローラを操作して、電位治療装置１の電源をＯＮすると、電圧発生ユニット５が作動させられる。これにより、主電極２には交流高電圧（９０００Ｖ）が印加され、第１接触電極３と第２接触電極４には交流低電圧Ｖ２、Ｖ３（１００Ｖ）がそれぞれ印加され、被治療者の人体の周囲に電界が形成され、この電界によって治療がなされる。
【００３３】
このとき、第１接触電極３の第１低電位Ｖ２と、第２接触電極４の第２低電位Ｖ３とは同電圧で逆位相であるため、被治療者の人体はアース電位とされる。また、図２に示すように、第１低電位Ｖ２と第２低電位Ｖ３との電位差によって、被治療者の人体に、第１接触電極３と第２接触電極４との間、すなわち、右足と左足との間に微弱電流ｉが流れ、この微弱電流を体感することとなる。
【００３４】
以上のように、この電位治療装置１によれば、電圧発生ユニット５によって第１接触電極３と第２接触電極４には交流低電圧Ｖ２、Ｖ３が印加され、被治療者の人体を高電位にしないので、被治療者が壁や他の接地状態のものに触れても電撃を感じることはほとんど無い。また、人体には２つの接触電極３、４に印加される交流低電圧の電位差により微弱電流ｉが流れるため、被治療者がこれを感受することにより治療状態であることを容易に認識することができる。つまり、電位治療装置１の安全性を高度に維持した状態で、被治療者は治療感を得ることが可能である。また、被治療者の人体を高電位とならないので、被治療者の人体の周囲に形成される電界は、足部電極を接地する場合と略同等の電界が形成される。つまり、第１接触電極３と第２接触電極４とを設けても、治療の効果を損なうことはない。
【００３５】
また、接触電極用変圧器５３、５４と接触電極３、４とは、電流制限素子５３Ｒ、５４Ｒを介して接続しているので、第１接触電極３および第２接触電極４へ許容値を超える微弱電流ｉが流れるのを防止するように制御可能となり、被治療者は適度な治療感を得ることができるとともに、感電に対するリスクを低減することができる。
（実施の形態２）
図３ないし図５は、この発明の実施の形態２を示している。この実施の形態では、電圧発生ユニット６の構成が、実施の形態１における電圧発生ユニット５と異なる。このため、実施の形態１と同等の構成については、同一符号又は対応する符号を付することで、その説明を省略する。
【００３６】
この実施の形態においては、図３および図４に示すように、主電極２には電位治療用の高電位Ｖ１１を誘起し、第１接触電極３と第２接触電極４には、同電圧で同相の最大値の異なる低電位Ｖ１２、Ｖ１３をそれぞれ誘起するようになっている。また、高電位Ｖ１１は、低電位Ｖ１２、Ｖ１３とは逆位相となるように設定されている。
【００３７】
電圧発生ユニット６は、２つの接触電極３、４に印加される交流低電圧はその位相を同相にするとともに、主電極２に印加される交流高電圧と２つの接触電極３、４に印加される交流低電圧は位相が逆位相となるようにするものである。また、電圧発生ユニット６は、第１接触電極３に印加する交流電圧は、正のピーク値が負のピーク値より大となるように設定し、第２接触電極４に印加する交流電圧は、負のピーク値が正のピーク値より大となるように設定されているものである。
【００３８】
図３に示すように、この電圧発生ユニット６の主電極用変圧器６２の一次巻線６２ａは、一端をスイッチ６１ＳＷ１と接続し、他端をスイッチ６１ＳＷ２と接続する。主電極用変圧器６２の二次巻線６２ｂは、一端をアースＧと接続し、他端は電流制限素子６２Ｒを介して主電極２と接続する。電流制限素子６２Ｒは、主電極２と接続している。このようにして、主電極用変圧器６２には、電圧発生ユニット６が作動すると、高い電位（高電位）Ｖ１１が誘起する。
【００３９】
各接触電極用変圧器６３、６４の一次巻線６３ａ、６４ａは、それぞれ一端がスイッチ６１ＳＷ１を介して、他端がスイッチ６１ＳＷ２を介してコンセント６１と接続している。各接触電極用変圧器６３、６４の二次巻線６３ｂ、６４ｂは、それぞれ一端がアースＧと接続し、他端が第１電流制限素子６３Ｒ１、６４Ｒ１を介して各接触電極３、４とそれぞれ接続している。
【００４０】
また、各接触電極用変圧器６３、６４の二次巻線６３ｂ、６４ｂは、整流素子６３ｃ、６４ｃと並列に接続し、整流素子６３ｃ、６４ｃの一端が電流制限素子６３Ｒ１、６４Ｒ１と第１接触電極用変圧器６３、６４との間に、また、整流素子６３ｃ、６４ｃの他端が第２電流制限素子６３Ｒ２、６４Ｒ２を介して二次巻線６３ｂ、６４ｂの一端にそれぞれ接続している。
【００４１】
そして、第１接触電極用変圧器６３に接続された整流素子６３ｃは順方向に、第２接触電極用変圧器６４に接続された整流素子６４ｃは逆方向に、それぞれ接続している。
【００４２】
これにより、第１接触電極用変圧器６３にあっては、二次巻線６３ｂの両端の交流電圧が、第１電流制限素子６３Ｒ１の抵抗値と第２電流制限素子６３Ｒ２の抵抗値との比により分圧され、かつ、整流素子６３ｃによりそれぞれのピーク値が｜＋Ｖ１２ｐ｜＞｜−Ｖ１２ｐ｜の関係となり、第１接触電極３に印加される（図５（ａ））。
【００４３】
また、第２接触電極用変圧器６４にあっては、二次巻線６４ｂの両端の交流電圧が、第１電流制限素子６４Ｒ１の抵抗値と第２電流制限素子６４Ｒ２の抵抗値との比により分圧され、かつ、整流素子６４ｃによりそれぞれのピーク値が｜＋Ｖ１３ｐ｜＜｜−Ｖ１３ｐ｜の関係となり、第２接触電極４に印加される（図５（ｂ））。
【００４４】
このように構成された電圧発生ユニット６は、図４に示すように、主電極２には電位治療用の交流高電圧Ｖ１１が誘起され、第１接触電極３と第２接触電極４には、図５（ａ）、（ｂ）に示すように、同電圧で同相の最大値の異なる交流低電圧Ｖ１２、Ｖ１３がそれぞれ誘起され、主電極２に印加される交流高電圧と各接触電極３、４に印加された交流低電圧Ｖ１２、Ｖ１３とは逆位相になるため、これらが形成する電界は主電極２とアースＧとの間で形成される電界（実施の形態１）よりも強くなる。
【００４５】
また、第１接触電極３と第２接触電極４との間には上述のように電位差が生じ、これら接触電極３、４に左右の足を乗せた被治療者はアース電位に近い低電位となり、治療中に外部の人や物に触れたときの電撃や放電による火傷を防止されるとともに、人体内を微弱電流ｉが流れ、この微弱電流ｉが人体に刺激として感受される。
【００４６】
この微弱電流ｉは、危険性のない電流値（１ｍＡ以下）に設定することが好ましく、そのためには、それぞれの接触電極３、４に印加される交流電圧は、第１電流制限素子６３Ｒ１または６４Ｒ１と第２電流制限素子６３Ｒ２または６４Ｒ２との抵抗値の比率を適宜設定する。この抵抗値の比率の設定が、人体を流れる電流値を制御することになり、人体への電流刺激の強弱を調整することになる。
【００４７】
さらに、接触電極用変圧器６３、６４と接触電極３、４とは、電流制限素子６３Ｒ１、６４Ｒ１を介して接続しているので、接触電極３、４へ許容値を超える微弱電流ｉが流れるのを防止するように制御可能となり、被治療者は適度な治療感を得ることができるとともに、感電に対するリスクを低減することができる。
【００４８】
以上、この発明の実施の形態１、２について説明したが、具体的な構成は、各実施の形態１、２に限られるものではなく、この発明の要旨を逸脱しない範囲の設計の変更等があっても、この発明に含まれる。
【００４９】
例えば、主電極に誘起する治療用の交流電圧と各接触電極に誘起する体感用の交流電圧とほぼ同じ電圧としてもよく、主電極に９０００Ｖ、第１接触電極に９０００Ｖ、第２接触電極に９０００Ｖを誘起するようにしても良い。
【００５０】
また、主電極に誘起する治療用の交流電圧と各接触電極に誘起する体感用の交流電圧との位相は上記実施の形態１、２の組み合わせに限定されなず、例えば、治療用の交流電圧と２つの体感用の交流電圧とを同相にしても良い。具体的には、主電極に９０００Ｖ、第１接触電極に１００Ｖ、第２接触電極に９０Ｖを誘起する。このようにすれば、第１接触電極と第２接触電極とに印加される電位の差分（１０Ｖ）に見合う微弱電流が人体に流れ、被治療者はこの微弱電流を感受しつつ、電界治療を受けることができる。
【００５１】
さらに、３つの各電極に印加する交流電圧をそれぞれ１２０°ずつ位相をずらすようにしても良い。
【００５２】
また、上記実施の形態１、２にあっては、フットレスト１０３に２つの接触電極３、４を左右に配置したものを示したが、本発明はこれに限らず、左右の肘を乗せる肘掛部にそれぞれ接触電極を配置したり、あるいは、椅子１０１の座部に２つの接触電極を左右に配置したりするようにしても良い。すなわち、被治療者の体の一部が２箇所に配置された接触電極にそれぞれ接触させ、微弱電流ｉが流れるようにすればよい。
【００５３】
さらに、電流制限素子５３Ｒ、５４Ｒや、６３Ｒ１、６４Ｒ１を適宜調節して、人体に流れる微弱電流ｉの大きさを調節し、被治療者に応じて刺激感・治療感を調節可能としてもよいことはもちろんである。
【符号の説明】
【００５４】
１              電位治療装置
２              主電極
３              第１接触電極
４              第２接触電極
５              電圧発生ユニット（電圧発生装置）
５１            コンセント
５１ＳＷ１      スイッチ
５１ＳＷ２      スイッチ
５２            主電極用変圧器
５２ａ          一次巻線
５２ｂ          二次巻線
５２Ｒ          主電極用電流制限素子
５３            第１接触電極用変圧器
５３ａ          一次巻線
５３ｂ          二次巻線
５３Ｒ          第１接触電極用電流制限素子
５４            第２接触電極用変圧器
５４ａ          一次巻線
５４ｂ          二次巻線
５４Ｒ          第２接触電極用電流制限素子
Ｖ１            高電位
Ｖ２            第１低電位
Ｖ３            第２低電位
ｉ              微弱電流
６              電圧発生ユニット（電圧発生装置）
６１            コンセント
６１ＳＷ１      スイッチ
６１ＳＷ２      スイッチ
６２            主電極用変圧器
６２ａ          一次巻線
６２ｂ          二次巻線
６２Ｒ          電流制限素子
６３            第１接触電極用変圧器
６３ａ          一次巻線
６３ｂ          二次巻線
６３ｃ          整流素子
６３Ｒ１        第１電流制限素子
６３Ｒ２        第２電流制限素子
６４            第２接触電極用変圧器
６４ａ          一次巻線
６４ｂ          二次巻線
６４ｃ          整流素子
６４Ｒ１        第１電流制限素子
６４Ｒ２        第２電流制限素子
１００          電位治療器
１０１          椅子
１０２          ヘッドカバー
１０３          フットレスト（通電台）
Ｖ１１          高電位
Ｖ１２          第１低電位
Ｖ１３          第２低電位
ｉ              微弱電流
【図１】
2014004235.tif 000003
【図２】
2014004235.tif 000004
【図３】
2014004235.tif 000005
【図４】
2014004235.tif 000006
【図５】
2014004235.tif 000007
【手続補正書】
【提出日】平成24年12月18日(2012.12.18)
【手続補正１】
【補正対象書類名】特許請求の範囲
【補正対象項目名】全文
【補正方法】変更
【補正の内容】
【特許請求の範囲】
【請求項１】
被治療者を電界内に置くことにより治療を行う電位治療装置であって、
被治療者に対して離間して配置される主電極と、被治療者が接した状態で配置される第１接触電極および第２接触電極と、これらの電極に対して商用電源電圧を昇圧して所定の交流電圧を供給する電圧発生装置とを有し、
前記主電極には、前記電圧発生装置により治療用の交流電圧が印加され、
前記第１接触電極および前記第２接触電極には、前記電圧発生装置により交流電圧がそれぞれ印加されて、前記２つの接触電極間による電位差により被治療者に微弱電流が流れるようにし、
前記第１接触電極と前記第２接触電極とに印加される交流電圧はその位相を逆位相にした、
ことを特徴とする電位治療装置。
【請求項２】
被治療者を電界内に置くことにより治療を行う電位治療装置であって、
被治療者に対して離間して配置される主電極と、被治療者が接した状態で配置される第１接触電極および第２接触電極と、これらの電極に対して商用電源電圧を昇圧して所定の交流電圧を供給する電圧発生装置とを有し、
前記主電極には、前記電圧発生装置により治療用の交流電圧が印加され、
前記第１接触電極および前記第２接触電極には、前記電圧発生装置により交流電圧がそれぞれ印加されて、前記２つの接触電極間による電位差により被治療者に微弱電流が流れるようにし、
前記第１接触電極と前記第２接触電極とに印加される交流電圧はその位相を同相にするとともに、前記主電極に印加される交流電圧と前記２つの接触電極に印加される交流電圧はその位相を逆位相とし、前記第１接触電極に印加する交流電圧は、正のピーク値が負のピーク値より大となるように設定し、前記第２接触電極に印加する交流電圧は、負のピーク値が正のピーク値より大となるように設定した、
ことを特徴とする電位治療装置。
【手続補正２】
【補正対象書類名】明細書
【補正対象項目名】０００７
【補正方法】変更
【補正の内容】
【０００７】
上記目的を達成するために請求項１に記載の発明は、被治療者を電界内に置くことにより治療を行う電位治療装置であって、被治療者に対して離間して配置される主電極と、被治療者が接した状態で配置される第１接触電極および第２接触電極と、これらの電極に対して商用電源電圧を昇圧して所定の交流電圧を供給する電圧発生装置とを有し、前記主電極には前記電圧発生装置により交流電圧が印加され、前記第１接触電極および前記第２接触電極には前記電圧発生装置により交流電圧がそれぞれ印加されて、前記２つの接触電極間による電位差により被治療者に微弱電流が流れるようにし、前記第１接触電極と前記第２接触電極とに印加される交流電圧はその位相を逆位相にした、ことを特徴とする電位治療装置である。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項２に記載の発明は、被治療者を電界内に置くことにより治療を行う電位治療装置であって、被治療者に対して離間して配置される主電極と、被治療者が接した状態で配置される第１接触電極および第２接触電極と、これらの電極に対して商用電源電圧を昇圧して所定の交流電圧を供給する電圧発生装置とを有し、前記主電極には、前記電圧発生装置により治療用の交流電圧が印加され、前記第１接触電極および前記第２接触電極には、前記電圧発生装置により交流電圧がそれぞれ印加されて、前記２つの接触電極間による電位差により被治療者に微弱電流が流れるようにし、前記第１接触電極と前記第２接触電極とに印加される交流電圧はその位相を同相にするとともに、前記主電極に印加される交流電圧と前記２つの接触電極に印加される交流電圧はその位相を逆位相とし、前記第１接触電極に印加する交流電圧は、正のピーク値が負のピーク値より大となるように設定し、前記第２接触電極に印加する交流電圧は、負のピーク値が正のピーク値より大となるように設定した、ことを特徴とする。
【手続補正５】
【補正対象書類名】明細書
【補正対象項目名】００１１
【補正方法】変更
【補正の内容】
【００１１】
請求項１および請求項２に記載の発明によれば、第１接触電極と第２接触電極には交流電圧が印加され、被治療者の人体を高電位にしないので、被治療者が壁や他の接地状態のものに触れても電撃を感じることはほとんど無い。また、人体には２つの接触電極に印加される交流電圧の電位差により微弱電流が流れるため、被治療者がこれを感受することにより治療状態であることを容易に認識することができる。
【手続補正６】
【補正対象書類名】明細書
【補正対象項目名】００１２
【補正方法】変更
【補正の内容】
【００１２】
請求項１に記載の発明によれば、被治療者の人体を高電位にせず、かつ、２つの接触電極に印加される交流電圧の位相が逆位相であるので、人体電位は「ゼロ」となる。つまり、被治療者が壁や他の接地状態のものに触れても電撃を感じることは全く無い。
【手続補正７】
【補正対象書類名】明細書
【補正対象項目名】００１３
【補正方法】変更
【補正の内容】
【００１３】
請求項２に記載の発明によれば、第１接触電極と第２接触電極とに印加される交流電圧はその位相を同相にするとともに、主電極に印加される交流電圧と２つの接触電極に印加される交流電圧はその位相を逆位相としたので、さらに高電位の治療を被治療者に施すことができる。また、第１接触電極に印加する交流電圧は正のピーク値が負のピーク値より大となるように設定し、第２接触電極に印加する交流電圧は負のピーク値が正のピーク値より大となるように設定したので、人体を低電位に保ちつつ微弱電流が流れるため、被治療者がこれを感受することにより治療状態であることを容易に認識することができる。